(57)【要約】      （修正有）【課題】家具を固定する際の作業性の向上を図った家具の固定構造を提供する。【解決手段】家具の固定構造１は、船舶の甲板Ｆに台輪３を介して固定されるものであって、パッド４１付ボルト４２を備え、台輪３は、家具２の底板２１に重なって設けられる板部３１と、該板部３１から前記甲板Ｆに向けて延びる周板３２と、を有し、パッド付ボルト４は、板部３１と対向するように甲板Ｆに載置されるパッド４１と、該パッド４１から立設して板部３１及び家具２の底板２１を貫通するボルト４２と、該ボルト４２に螺合されるナット部と、を備え、ナット部は、一対のナット４Ａ、４Ｂを有し、一対のナット４Ａ、４Ｂは、ボルト４２が板部３１及び家具２の底板２１を貫通した状態で、板部３１及び家具２の底板２１を挟んで締結されている。【選択図】図２
0003234210.tif 000002
【実用新案登録請求の範囲】
【請求項１】
船舶の甲板に台輪を介して固定される家具の固定構造であって、
パッド付ボルトを備え、
前記台輪は、前記家具の底板に重なって設けられる板部と、該板部から前記甲板に向けて延びる周板と、を有し、
前記パッド付ボルトは、前記板部と対向するように前記甲板に載置されるパッドと、該パッドから立設して前記板部及び前記家具の底板を貫通するボルトと、該ボルトに螺合されるナット部と、を備え、
前記ナット部は、一対のナットを有し、
前記一対のナットは、前記ボルトが前記板部及び前記家具の底板を貫通した状態で、前記板部及び前記家具の底板を挟んで締結されていることを特徴とする家具の固定構造。
【請求項２】
前記ボルトは、頭部と、該頭部から立設する円柱状の軸部と、を備え、
前記頭部は、前記パッドに溶接固定されていることを特徴とする請求項１に記載の家具の固定構造。
【請求項３】
前記パッドは、前記甲板に溶接固定されていることを特徴とする請求項１または２に記載の家具の固定構造。
【請求項４】
前記台輪は、平面視が矩形状の枠状に形成され、
前記甲板と前記周板との間は、前記台輪の全周にシーリング材が充填されていることを特徴とする請求項１〜３のうち何れか一項に記載の家具の固定構造。
【考案の詳細な説明】
【技術分野】
【０００１】
本考案は、家具の固定構造に関する。
【背景技術】
【０００２】
従来、家具ユニットの下端部に台輪が取り付けられた家具が特許文献１に開示されている。特許文献１に開示された従来の家具を、例えば船舶の居住空間に固定する場合には、当該居住空間の床は、船体の強度保持のためにアーチ状（シアー・キャンバー）となっているため、まず、壁基準で家具の水平をとりながら台輪の切断代をマーキングし、壁基準で水平を確認しながら現場で台輪の下端部を削り合わせる。この後、台輪の下端部を船舶の甲板に溶接固定して、家具の底板と台輪とをボルト固定することで、家具を船舶に固定する。
【先行技術文献】
【特許文献】
【０００３】
【特許文献１】特開２０２０−１６８３３６号公報
【考案の概要】
【考案が解決しようとする課題】
【０００４】
しかしながら、従来の家具を船舶の居住空間に設置する場合には、現場において、台輪の削り合わせをしなければならず、台輪を削るための手間がかかる。
【０００５】
本考案の目的は、家具を固定する際の作業性の向上を図った家具の固定構造を提供することにある。
【課題を解決するための手段】
【０００６】
上記目的は、以下の本考案によって解決される。
即ち、本考案は、船舶の甲板に台輪を介して固定される家具の固定構造であって、パッド付ボルトを備え、前記台輪は、前記家具の底板に重なって設けられる板部と、該板部から前記甲板に向けて延びる周板と、を有し、前記パッド付ボルトは、前記板部と対向するように前記甲板に載置されるパッドと、該パッドから立設して前記板部及び前記家具の底板を貫通するボルトと、該ボルトに螺合されるナット部と、を備え、前記ナット部は、一対のナットを有し、前記一対のナットは、前記ボルトが前記板部及び前記家具の底板を貫通した状態で、前記板部及び前記家具の底板を挟んで締結されている。
【０００７】
本考案によれば、パッド付ボルトは、板部と対向するように甲板に載置されるパッドと、該パッドから立設して板部及び家具の底板を貫通するボルトと、該ボルトに螺合されるナット部と、を備え、ナット部は、一対のナットを有し、一対のナットは、ボルトが板部及び家具の底板を貫通した状態で、板部及び家具の底板を挟んで締結されている。ここで、従来技術では、家具の底板と台輪とをボルト固定して、台輪の下端部を船舶の甲板に溶接固定することで、家具を船舶に固定している。このため、従来技術では家具の重量は台輪で支えられるが、本考案では、家具はボルトで支持されることから、台輪にかかる荷重が低減されるため、従来技術に比して台輪の板厚を薄くすることができる。これによれば、台輪の板厚を薄くすることで、現場において、台輪を削り合わせるための労力が低減されるから、家具を固定する際の作業性の向上を図ることができる。
【０００８】
また、ボルトは、頭部と、該頭部から立設する円柱状の軸部と、を備え、頭部は、パッドに溶接固定されていることが好ましい。
【０００９】
また、パッドは、甲板に溶接固定されていることが好ましい。
【００１０】
また、台輪は、平面視が矩形状の枠状に形成され、甲板と周板との間は、台輪の全周にシーリング材が充填されていることが好ましい。
【考案の効果】
【００１１】
本考案によれば、家具を固定する際の作業性の向上を図ることができる。
【図面の簡単な説明】
【００１２】
【図１】本考案の一実施の形態にかかる家具の固定構造を模式的に示す斜視図である。
【図２】前記家具の固定構造を拡大して示す断面図である。
【図３】前記家具の固定構造の作用効果を説明するための図である。
【考案を実施するための形態】
【００１３】
以下、本考案の一実施の形態にかかる家具の固定構造１を、図１〜３を参照して説明する。図１は、本考案の一実施の形態にかかる家具の固定構造１を模式的に示す斜視図である。図２は、前記家具の固定構造１を拡大して示す断面図である。図３は、前記家具の固定構造１の組立て手順を説明するための図である。
【００１４】
本考案の一実施の形態にかかる家具の固定構造１は、船舶居住区に設置されるものであり、図１、２に示すように、家具としての鋼製またはアルミ製の収納棚２（図１、２において二点鎖線で示す）と、平面視が矩形状の枠状に形成された台輪３と、パッド付ボルト４と、を備える。船舶居住区は、甲板Ｆ（図２に示す）と、該甲板Ｆに立設されて四方を囲む不図示の内壁と、を備える。甲板Ｆは、船体の強度保持のためのアーチ状（シアー・キャンバー）となっているため、収納棚２は、内壁を基準として水平が決められて固定される。なお、図面における矢印Ｘ、Ｙ、Ｚは互いに直交する方向である。矢印Ｘは、平面視が矩形状の台輪３の一辺（後述する第１板部３１Ａ）が延在する方向であり、矢印Ｙは、前記台輪３の一辺に連続する他の辺（後述する第２板部３１Ｂ）が延在する方向であり、矢印Ｚは、ＸＹを含む平面に直交する方向であり、家具としての収納棚２と台輪３が重なる方向である。以下では、矢印Ｚを「高さ方向」と記す場合がある。また、ＸＹを含む平面方向を「水平方向」と記す場合がある。
【００１５】
収納棚２は、図１、２に示すように、底板２１（図２に示す）と、該底板２１から立設する側板２２と、を備えて外形が直方体状に形成されている。底板２１の四隅には、該底板２１を貫通するボルト孔２ａ（図２に示す）が形成されている。
【００１６】
台輪３は、図２に示すように、収納棚２の底板２１に重なって設けられる平面視が矩形状の枠状に形成された板部３１と、該板部３１の外縁から甲板Ｆに向けて延びる周板３２と、を有して断面Ｌ字状に形成されている。板部３１は、図１に示すように、Ｘ方向に延在するとともに互いにＹ方向に対向する第１板部３１Ａと、Ｙ方向に延在するとともに互いにＸ方向に対向する第２板部３１Ｂと、を備える。また、図１に示すように、台輪３の外縁は、収納棚２の底板２１の外縁と略同じ形状となるように形成されている。板部３１の四隅には、該板部３１を貫通するボルト孔３ａが形成されている。
【００１７】
パッド付ボルト４は、図２に示すように、鋼板製のパッド４１と、ボルト４２と、該ボルト４２に螺合される一対のナット４Ａ、４Ｂ（ナット部）と、一対のスプリングワッシャー５Ａ、５Ｂと、一対のワッシャー６Ａ、６Ｂと、を備える。ボルト４２は、頭部４２１と、該頭部４２１から立設する円柱状のボルト軸部４２２(軸部)と、を備える。以下では、一方のナット４Ａ、スプリングワッシャー５Ａ及びワッシャー６Ａを第１ナット４Ａ、第１スプリングワッシャー５Ａ、及び第１ワッシャー６Ａと記し、他方のナット４Ｂ、スプリングワッシャー５Ｂ、及びワッシャー６Ｂを第２ナット４Ｂ、第２スプリングワッシャー５Ｂ、及び第２ワッシャー６Ｂと記す場合がある。
【００１８】
次に、収納棚２を船舶の甲板Ｆに固定する手順について、図１〜３を参照して説明する。ボルト４２の頭部４２１は、予めパッド４１に溶接Ｒにより固定されている。この状態で、図２に示すように、甲板Ｆの所定位置にパッド４１を設置して、該パッド４１を溶接Ｒにより甲板Ｆに固定する。この後、第１ナット４Ａをボルト軸部４２２に螺合させ、第１スプリングワッシャー５Ａ、第１ワッシャー６Ａの順で、第１スプリングワッシャー５Ａ、第１ワッシャー６Ａの不図示の各孔部をボルト軸部４２２の先端に近づけて挿入させる。
【００１９】
次に、台輪３の板部３１が船舶の甲板Ｆに対向する格好で、台輪３の周板３２を船舶の甲板Ｆに近付け、台輪３の板部３１に形成されたボルト孔３ａにボルト４２のボルト軸部４２２を挿入させる。この後、図３に示すように、壁基準で収納棚２の水平をとりながら甲板Ｆの歪みに合わせて台輪３の周板３２の切断代３２ｄを切断する。この状態（台輪３の板部３１を水平にした状態）で台輪３の周板３２の下端部と船舶の甲板Ｆとの間でかつ台輪３の全周にシーリング材７を充填する。このようにして台輪３を船舶の甲板Ｆに固定する。
【００２０】
この後、図１、２に示すように、収納棚２の底板２１に形成されたボルト孔２ａを、ボルト軸部４２２の先端に近付け、ボルト孔２ａにボルト軸部４２２を挿入させて、収納棚２を台輪３の上に載置する。次に、第２ワッシャー６Ｂ、第２スプリングワッシャー５Ｂの順で、第２ワッシャー６Ｂ、及び第２スプリングワッシャー５Ｂの各孔部をボルト軸部４２２の先端に近づけて挿入させる。そして、第２ナット４Ｂをボルト軸部４２２に螺合させ、第２ナット４Ｂを締め付けることで、第１ナット４Ａと第２ナット４Ｂで、台輪３の板部３１及び収納棚２の底板２１を挟み込んで締結する。このようにして、収納棚２を船舶の甲板Ｆに固定する。
【００２１】
上述した実施形態によれば、パッド付ボルト４は、板部３１と対向するように甲板Ｆに載置されるパッド４１と、該パッド４１から立設して板部３１及び収納棚２(家具)の底板２１を貫通するボルト４２と、該ボルト４２に螺合されるナット部と、を備え、ナット部は、一対のナット４Ａ、４Ｂを有し、一対のナット４Ａ、４Ｂは、ボルト４２が板部３１及び家具の収納棚２を貫通した状態で、板部３１及び収納棚２の底板２１を挟んで締結されている。これによれば、収納棚２（家具）の重量はボルト４２で支持されることから、台輪３にかかる荷重が低減されるため、従来技術に比して台輪３の板厚を薄くすることができる。台輪３の板厚を薄くすることで、現場で台輪３を削り合わせの労力が低減されるから、家具を固定する際の作業性の向上を図ることができる。
【００２２】
また、ボルト４２は、頭部４２１と、該頭部４２１から立設する円柱状のボルト軸部４２２（軸部）と、を備え、頭部４２１は、パッド４１に溶接Ｒにより固定されている。これによれば、より一層、家具を固定する際の作業性の向上を図ることができる。
【００２３】
また、パッド４１は、甲板Ｆに溶接Ｒにより固定されている。これによれば、より一層、家具を固定する際の作業性の向上を図ることができる。
【００２４】
また、台輪３は、平面視が矩形状の枠状に形成され、甲板Ｆと周板３２との間は、台輪３の全周にシーリング材７が充填されている。これによれば、より一層、家具を固定する際の作業性の向上を図ることができる。
【００２５】
なお、本考案は、前記実施形態に限定されるものではなく、本考案の目的が達成できる他の構成等を含み、以下に示すような変形等も本考案に含まれる。
【００２６】
即ち、前記実施形態では、家具の一例として収納棚２を用いて説明していたが、本考案はこれに限定されるものではない。家具として、底板２１を有して船舶の甲板Ｆに固定されるものであれば、机であってもよく、ベッドであってもよく、どのような家具であっても本考案の権利範囲に含むものとする。
【００２７】
前述した実施形態は本考案の好ましい形態を示したに過ぎず、本考案は、これら実施形態に限定されるものではない。即ち、当業者は、従来公知の知見に従い、本考案の骨子を逸脱しない範囲で種々改変して実施することができる。かかる改変によってもなお本考案の衣服の構成を具備する限り、勿論、本考案の範疇に含まれるものである。
【符号の説明】
【００２８】
１          家具の固定構造
２          収納棚（家具）
２１        底板
３          台輪
３１        板部
３２        周板
４          パッド付ボルト
４１        パッド
４２        ボルト
４２１      頭部
４２２      ボルト軸部（軸部）
４Ａ、４Ｂ  一対のナット（ナット部）
７          シーリング材
Ｆ          船舶の甲板
【図１】
0003234210.tif 000003
【図２】
0003234210.tif 000004
【図３】
0003234210.tif 000005